(57)【特許請求の範囲】
【請求項１】
貯蔵庫本体内には前面に出入口を設けた収納室が設けられる一方、前記出入口を開閉する扉の裏面に左右一対の側枠の奥縁同士を奥枠で連結した枠体が延設されたドロワが備えられ、
このドロワには上面開口のフランジ付き容器が前記フランジを前記枠体に載置した形態で収容されて、前記収納室に引き出し可能に収納された冷却貯蔵庫であって、
前記ドロワにおける前記扉の裏面には、前記フランジ付き容器の前記フランジにおける手前側の端縁に当接して、前記扉の裏面と前記フランジの手前側の端縁との間に所定の隙間を構成する隙間構成部が設けられ、
前記ドロワの枠体における奥枠は、フランジ付き容器における手前側のフランジが前記隙間構成部に当接した場合に、同フランジ付き容器の奥面がほぼ当接する位置に形成されていることを特徴とする冷却貯蔵庫。
【請求項２】
前記隙間構成部は、前記扉の裏面において複数の縦リブを幅方向に間隔を開けて設けることによって形成されていることを特徴とする請求項１記載の冷却貯蔵庫。
【発明の詳細な説明】
【技術分野】
【０００１】
本発明は、ドロワ式の冷却貯蔵庫に関する。
【背景技術】
【０００２】
従来ドロワ式冷蔵庫の一例として、特許文献１に記載されたものが知られている。このものは、冷蔵庫本体内に、前面に出入口を設けた収納室が複数並んで設けられる一方、出入口を開閉する扉の裏面に容器の収容部を設けたドロワが同数設けられ、各ドロワがレール等で案内されつつ収納室に引き出し可能に収納されるようになっている。  
ここで、容器がホテルパンである場合において、同ホテルパンを吊り下げ状に支持して収容するドロワの収容部として、以下のような形状のものが提案されている。この収容部は、所定幅を持った帯材を水平面で方形に巡らすことにより方形の枠体として形成され、ホテルパンのパン本体が枠体内にほぼ緊密に嵌められる一方、上縁のフランジが枠体の全周に亘って載せられることで、上記のようにホテルパンが吊り下げ状に、かつがたつき無く支持され収容される。
【先行技術文献】
【特許文献】
【０００３】
【特許文献１】特開２００２−１４２８８７号公報
【発明の概要】
【発明が解決しようとする課題】
【０００４】
上記したホテルパンの収容構造では、ホテルパンのフランジが全周に亘って枠体の上面にべったりと載せられた形態となるから、ホテルパンを枠体から取り外す作業がし辛いという問題がある。また、上記形態のためにホテルパンの回りが塞がれて冷気循環の妨げとなり、冷却性能が低下するという問題もあり、その改良が切望されていた。  
本発明は上記のような事情に基づいて完成されたものであって、その目的は、取り外しがしやすく、また庫内の冷気循環にも有効となるフランジ付き容器のドロワに対する収容構造を提供するところにある。
【課題を解決するための手段】
【０００５】
本発明は、貯蔵庫本体内には前面に出入口を設けた収納室が設けられる一方、前記出入口を開閉する扉の裏面に左右一対の側枠の奥縁同士を奥枠で連結した枠体が延設されたドロワが備えられ、このドロワには上面開口のフランジ付き容器が前記フランジを前記枠体に載置した形態で収容されて、前記収納室に引き出し可能に収納された冷却貯蔵庫であって、前記ドロワにおける前記扉の裏面には、前記フランジ付き容器の前記フランジにおける手前側の端縁に当接して、前記扉の裏面と前記フランジの手前側の端縁との間に所定の隙間を構成する隙間構成部が設けられているところに特徴を有する。
【０００６】
フランジ付き容器を、そのフランジをドロワの枠体に載せつつ同枠体内に嵌めて、手前側のフランジを扉の裏面に設けられた隙間構成部に当てると、フランジの手前側の端縁と扉の裏面との間に所定の隙間が構成される。  
そのため、同隙間に指を入れてフランジに引っ掛ける等で持ち上げることができ、引き続きフランジ付き容器の取り外しを簡単に行うことができる。また、収納室に収納された状態では、上記の隙間が庫内に回される冷気の流通空間となり、庫内における冷気循環が促進されて冷却能力を向上させることができる。
【０００７】
また、以下のような構成としてもよい。  
（１）前記隙間構成部は、前記扉の裏面において複数の縦リブを幅方向に間隔を開けて設けることによって形成されている。  
隣り合う縦リブの間によって隙間が構成され、同じくその隙間に指を入れてフランジに引っ掛ける等で持ち上げることにより、フランジ付き容器の取り外しが簡単に行える。縦リブの間の隙間が冷気の流通ガイドとして機能し、冷気循環がより促進される。
【０００８】
（２）前記ドロワの枠体における奥枠は、フランジ付き容器における手前側のフランジが前記隙間構成部に当接した場合に、同フランジ付き容器の奥面がほぼ当接する位置に形成されている。  
フランジ付き容器をドロワの枠体内に嵌めた場合に、同フランジ付き容器が隙間構成部と奥枠との間でほぼ挟まれた形態となり、フランジ付き容器を特に前後方向にがたつき無くドロワに収容することができる。
【発明の効果】
【０００９】
本発明によれば、フランジ付き容器のドロワからの取り外しを簡単に行うことができ、また庫内における冷気循環を促進することが可能となる。
【図面の簡単な説明】
【００１０】
【図１】本発明の一実施形態に係るドロワ式冷蔵庫の外嵌斜視図
【図２】冷蔵庫本体の断熱箱体と機械室の天井壁である断熱壁の連設構造を示す斜視図
【図３】冷蔵庫本体の断熱箱体と機械室の天井壁となる断熱壁の外殻構造を示す一部切欠斜視図
【図４】収納室が空の状態とドロワが収納された状態とを示す冷蔵庫本体の側断面図
【図５】ドロワの押し引き途中の状態と最大に引き出された状態とを示す冷蔵庫本体の側断面図
【図６】冷蔵庫本体の部分平断面図
【図７】ドロワの斜視図
【図８】ドロワにおける枠体を扉に取り付ける部分の構造を示す部分拡大斜視図
【図９】ドロワの平面図
【図１０】同縦断面図
【図１１】隙間構成構造を示す図１０の部分拡大図
【発明を実施するための形態】
【００１１】
＜実施形態＞
本発明の一実施形態を図１ないし図１１に基づいて説明する。この実施形態では、ドロワ７０を６個備えた横型冷蔵庫を例示している。  
この実施形態の冷蔵庫は、図１ないし図３に示すように、前面開口の横長の断熱箱体１５からなる冷蔵庫本体１０を有するとともに、冷蔵庫本体１０の正面視左側には機械室４０が並んで設けられており、冷蔵庫本体１０の底面の四隅に配された脚部１１によって支持されている。冷蔵庫本体１０を構成する断熱箱体１５は、図３及び図４に示すように、共にステンレス鋼板からなる外箱１６と内箱１７とが間隔を開けて組み付けられ、同間隔内に発泡樹脂等の断熱材１８が充填されて形成されている。
【００１２】
冷蔵庫本体１０内における正面視右側の大部分の領域が冷蔵室２０となっており、この冷蔵室２０の前面開口に断熱性の仕切枠２１が縦横に組まれて配されることで、横３列縦２段の合計６個の出入口２２が区画形成されており、各出入口２２の後方の冷蔵室２０内がそれぞれドロワ７０の収納室２３となっている。したがって詳しくは後記するドロワ７０が、各収納室２３に対して出入口２２から引き出し可能に収納されるようになっている。
【００１３】
冷蔵庫本体１０における機械室４０と隣接した左側壁１０Ａは厚肉に形成されており、図３に示すように、その左側壁１０Ａの上部側の領域には冷蔵室２０側に開口した凹部が形成され、その前面にダクト板２４が張られることによって凹部内に冷却器室２５が形成されている。  
冷却器室２５内には冷却器２６が設置されている。ダクト板２４の下端部には庫内空気の吸込口２７が形成されている一方、ダクト板２４の上端部には冷気の吹出口２８が形成されており、同吹出口２８の裏面には庫内ファン３０が配されている。冷蔵室２０の天井面には、奥行方向のほぼ中央部において、間口方向に長く左右両端部が開口された扁平な吹出ダクト３２が設けられており、同吹出ダクト３２の左端部の開口が流入口３２Ａとなって、上記した吹出口２８の上端位置に臨んでいる。吹出ダクト３２の下面には、上記した縦向きの仕切枠２１とほぼ対応する２位置において吹出口３３が形成されている。
【００１４】
機械室４０の構造を説明する。機械室４０の天井壁４１は、冷蔵庫本体１０における左側壁１０Ａの上部外面から水平に張り出した形態の断熱壁４２として形成されている。天井壁４１を構成する断熱壁４２は、図３に示すように、冷蔵庫本体１０の断熱箱体１５を構成する外箱１６の上面における左端部から面一に延出形成された外装板４３と、同外箱１６の左側面の上端部から左向きに曲がって延出形成された内装板４４が上下に間隔を開けて配設され、その隙間に断熱箱体１５側と同時に断熱材１８を発泡充填することで形成されている。  
天井壁４１の上面は、上記した冷蔵庫本体１０の上面と面一の水平面である一方、その下面は、冷蔵庫本体１０に近い右端部に向けて高さが低くなるような傾斜面４１Ａとなっている。また天井壁４１を、冷蔵庫本体１０からの張り出し方向について見ると、根元側ほど厚みが大きくなるように形成されている。
【００１５】
冷蔵庫本体１０の左側壁１０Ａの下縁から底板４５が左側に水平に張り出し形成されているとともに、天井壁４１の左側縁の前後２位置から支持フレーム４６が垂下して設けられ、それぞれの下端が底板４５の左側縁に結合されることによって同底板４５が吊り下げ支持されている。このような外殻に対して、前面パネル４７、側面パネル４８及び背面パネル４９が張られることで、機械室４０が形成されている。なお、前面パネル４７は、冷蔵庫本体１０の左側壁１０Ａの前面をも併せて覆っている。  
また、冷蔵庫本体１０の上面からこれと面一をなす機械室４０の天井壁４１の上面に亘って、一枚板からなる上面板５０が張られており、途中に継ぎ目のないテーブルとして利用できるようになっている。
【００１６】
機械室４０内には冷凍装置５１が設置されている。冷凍装置５１は少なくとも凝縮器ファン５２を備えた凝縮器（図示せず）と、圧縮機５３とが前後に並べて設けられ、この冷凍装置５１から引き出された冷媒配管５４が、上記の冷却器室２５の奥壁を貫通して冷却器２６と循環接続されている。  
機械室４０の前面パネル４７には、冷凍装置５１の冷却用空気である外気の吸気口５６が形成されているとともに、側面パネル４８の後部側と背面パネル４９には、冷凍装置５１を冷却したのちの排熱を排出するための排気口５７が形成されている。
【００１７】
冷却運転は、冷凍装置５１（圧縮機５３）と庫内ファン３０とが駆動されることで行われ、庫内空気が冷蔵室２０の左側面の下部に設けられた吸込口２７から吸い込まれて冷却器室２５内に導かれ、そこに収容された冷却器２６を流通する間に熱交換によって冷気が生成され、この冷気が左側面の上部の吹出口２８から庫内に吹き出され、また同冷気の一部が吹出ダクト３２を流通して２箇所の吹出口３３並びに右端開口から吹き出されるといった循環流通がなされることで、冷蔵室２０内すなわち全収納室２３が冷却されるようになっている。  
この間、凝縮器ファン５２が併せて駆動され、外気が前面の吸気口５６から吸い込まれて、凝縮器さらには圧縮機５３を流れることでそれらが冷却され、冷却に供した後の排熱が背面や側面後部の排気口５７から排出されるようになっている。
【００１８】
上記した機械室４０の構造によれば、以下のような利点が得られる。機械室４０の天井壁４１が、冷蔵庫本体１０を構成する断熱箱体１５から一体に張り出し形成された断熱壁４２として形成されているから、上面板５０をテーブルとして利用する場合等、上からの荷重に対して強固である。特に片持ちに張り出して形成されていながらも、根元部が厚肉に形成されているから高強度である。また、断熱壁４２であることから、上面板５０上と機械室４０との間での断熱に優れたものとなる。  
天井壁４１を、上記のように冷蔵庫本体１０と一体形成したのであるから、機械室４０を形成する場合の部品点数を減らすことができ、また組付工程も短縮化できることで製造コストの低減を図ることができる。  
さらに、機械室４０の天井面が、左側面に向けて上り勾配となった傾斜面４１Ａとされているから、冷凍装置５１を冷却したのちの排熱を特に側面パネル４８の排気口５７から排出しやすくなり、ひいては冷凍装置５１の冷却能力を向上させることができる。
【００１９】
続いて、ドロワ７０の収納部分の構造部分について説明する。  
ドロワ７０を収納する収納室２３の左右両側面に相当する位置には、奥行方向に延びた左右一対の固定レール６０が所定間隔を配設されている。固定レール６０は左右対称形状であって、後記するドロワ７０に設けられたガイドローラ８９を転動可能な溝状、詳細にはやや縦長の六角筒における内側の縦面を開放したような断面の溝状に形成され、収納室２３の奥行よりも少し短い長さ寸法を有している。固定レール６０の手前側の端部では、ガイドローラ８９を導入するために上面に切除部６１が設けられている。一方、固定レール６０の奥端側の所定領域は、奥側に向けて緩やかな下り勾配（１０°未満）となる傾斜部６０Ａとなっている。なお、同傾斜部６０Ａの上面も切除されている。
【００２０】
固定レール６０の取付構造としては、収納室２３の奥面に、取付部材６３が設けられている。この取付部材６３は、収納室２３の全幅に亘る背面板６４の左右両側縁から側板６５を突出形成した形状であって、背面板６４を収納室２３の奥面に当ててねじ止めすることで固定されている。  
一方、収納室２３の手前側の位置には、方形状の取付面６７Ａを有する左右一対の取付マウント６７が設けられる。この取付マウント６７の配設のため、各縦向きの仕切枠２１の庫内側には、中空の支持柱６８が立てられている。なお、図示はしないが、冷蔵室２０左側面の手前側の位置にも同様の支柱が立てられている。
【００２１】
図６に示すように、正面視で右側の上下の各収納室２３では、右側の取付マウント６７が冷蔵室２０の右側面２０Ａに、左側の取付マウント６７が支持柱６８にそれぞれ対向して取り付けられている。中央の上下の各収納室２３では、左右の取付マウント６７が左右の支持柱６８に対向して取り付けられ、また、左側の上下の各収納室２３では、左側の取付マウント６７が冷蔵室２０の左側面側の支持柱（図示せず）に、右側の取付マウント６７が支持柱６８にそれぞれ対向して取り付けられている。
【００２２】
そして、各収納室２３において、左右の固定レール６０は、図４に示すように、奥端部を取付部材６３の側板６５にねじ止め等で固定し、手前側の端部を、取付マウント６７の取付面６７Ａにおける下部奥側の角部にねじ止め等で固定することによって、上記したように、所定間隔を開けて対向した形態で配設されている。  
また、取付面６７Ａにおける上部手前側の角部には、支持ローラ６９が軸支されている。支持ローラ６９の配設位置は言い換えると、固定レール６０の手前側の端縁よりも少し手前で、かつ、同固定レール６０の上面よりも少し上方にある。
【００２３】
次に、ドロワ７０について説明する。ドロワ７０は大まかには、図７に示すように、収納室２３の出入口２２を開閉する扉７１の裏面側に、ホテルパン１を上面から収容可能な枠体８０が延設された構造である。ホテルパン１は、図９及び図１０に示すように、平面略長方形の深皿状をなすパン本体２の上面開口に、フランジ３が全周に亘って張り出し形成された形状である。
【００２４】
扉７１は断熱性であって、上記した収納室２３の出入口２２を前面から開閉可能な正面形状が横長の長方形で、かつ厚肉状に形成されている。断熱扉７１の表面には取手７２が設けられているとともに、裏面の周縁には、出入口２２の表面側の口縁に密着してシールする方形枠状のパッキン７３が装着されている。
【００２５】
断熱扉７１の裏面の中央部、詳細には図４に示すように、出入口２２の開口よりも一回り小さい方形の領域において、膨出部７４が形成されている。膨出部７４は詳細には、方形状をなす周壁７５の内側に凹面７６が形成された構造である。この凹面７６における幅方向の中央領域には、周壁７５と同じ高さを持った図示５本の縦リブ７７が、横方向に所定間隔を開けて周壁７５の上辺７５Ａと下辺７５Ｂとの間に亘って形成されている。各縦リブ７７の間隔は、手の指２本が入る程度の寸法が採られている。  
また、凹面７６の左右両端部は、枠体８０を取り付けるための取付面７８となっている。
【００２６】
枠体８０は、左右一対の側枠８１の奥縁同士を奥枠８５で連結した平面コ字形をなすように形成されている。側枠８１は、ホテルパン１の深さにほぼ匹敵する縦幅と、収納室２３の奥行よりも少し短い長さ寸法を持った帯状に形成されており、図６に示すように、ホテルパン１におけるパン本体２の上端部の幅寸法に匹敵する間隔を開けて配されるようになっている。各側枠８１の上縁には、ホテルパン１の左右のフランジ３を載置するＬ字形断面をなす載置板８２が、外側に向けて張り出し形成されている。  
また、各側枠８１の前縁には内側に直角曲げされた形態で、取付板８３が形成されている。載置板８２の手前側の端部における所定寸法、言い換えると、膨出部７４の凹面７６の深さに匹敵する寸法だけ、周壁７５を逃がすために切除されている（逃がし部８４）。
【００２７】
奥枠８５は、幅広の載置板８６の後縁に、側枠８１と同じ縦幅を持った補強板８７を直角曲げして形成した形状であって、左右の側枠８１の奥縁よりも少し手前の所定位置において、載置板８２，８６同士を面一とした姿勢で両側枠８１の間に差し渡されて固定されている。なお、図１０に示すように、載置板８６の前縁には、下向きに直角曲げされた補強部８６Ａが形成されている。
【００２８】
このように組み付けられた枠体８０は、両側枠８１の前縁の取付板８３が、扉７１の裏面の膨出部７４内に設けられた対応する取付面７８に当てられて固定される。より詳細には、枠体８０は、その上面が、扉７１の裏面における周壁７５の上辺７５Ａから所定寸法下がった位置、すなわち周壁７５の上辺７５Ａとの間に手の指が入る程度に下がった位置に来た姿勢で、上記のように両取付板８３が対応する取付面７８に当てられ、それぞれ上下２箇所において、図１１に示すように、取付板８３の挿通孔８３Ａにボルト８８を通して取付面７８に埋設されたナット８８Ａに螺合して締め付けることで固定されるようになっている。ここで、枠体８０の水平方向の取付位置を微調整できるように、図８に示すように、取付板８３の挿通孔８３Ａは横長の長孔として形成されている。
【００２９】
上記のように扉７１の裏面に枠体８０が取り付けられた状態において、扉７１の裏面における縦リブ７７と、奥枠８５の載置板８６の前縁との間の寸法は、図１０に示すように、ホテルパン１が枠体８０内に嵌められ、かつ前側のフランジ３が縦リブ７７に当接した状態においてもなお、同ホテルパン１の奥のフランジ３が載置板８６の前縁に載置されて支持可能な寸法となっている。
【００３０】
枠体８０を構成する左右の側枠８１には、その奥側の突出端における下部位置の外面に、上記したガイドローラ８９が軸支されている。  
一方、左右の側枠８１の外面における上部位置には、上記した収納室２３側の支持ローラ６９が転動する可動レール９０が設けられている。可動レール９０は、側枠８１の前縁から後縁の少し手前の位置に亘って配設されており、例えば、縦板の上縁に山形断面の溝板を設けた形状であり、支持ローラ６９は溝板の下面に沿って転動可能である。  
図５に示すように、可動レール９０の手前側の端部の所定領域は、手前側に向けて緩やかな上り勾配（１０°未満）となる傾斜部９０Ａとなっている。また、可動レール９０の奥側には、奥方下がりのテーパ状となったストッパ９１が設けられている。
【００３１】
続いて、本実施形態の作動を説明する。  
ドロワ７０にはそれぞれ定められたホテルパン１が収容される。具体的には、ホテルパン１は、扉７１の裏面に延設された枠体８０内に上面側から嵌められ、左右並びに奥縁のフランジ３が、左右の載置板８２並びに奥の載置板８６に載せられた状態で支持される。
ドロワ７０を収納室２３に装着する場合は、その奥端側を対応する出入口２２に挿入し、固定レール６０の前端の切除部６１と可動レール９０の奥側のスペースを利用しつつ、ドロワ７０のガイドローラ８９を収納室２３側の固定レール６０の前端部に嵌め、収納室２３側の支持ローラ６９をドロワ７０の可動レール９０に嵌めて支持させる。
【００３２】
そして扉７１を押すと、図５の上段に示すように、ガイドローラ８９が固定レール６０に、また支持ローラ６９が可動レール９０に沿ってそれぞれ転動しつつ、ドロワ７０が収納室２３内に押し込まれ、最後は、図４の下段に示すように、パッキン７３が出入口２２の表面側の口縁に密着しつつ扉７１が出入口２２を閉じる。ここで、ホテルパン１は、幅方向については枠体８０における左右の側枠８１の間に緊密に嵌り、また長さ方向については、手前のフランジ３とパン本体２の奥面とが、扉７１の裏面の縦リブ７７と、枠体８０における奥枠８５の前縁との間でほぼ挟まれた状態で収容されているから、ドロワ７０が押し込まれる際（後記する引き出される場合も同じ）、ホテルパン１が枠体８０内でがたつくことが極力抑えられる。
【００３３】
また、ドロワ７０の押し込みの終盤になると、ガイドローラ８９が固定レール６０における奥端の奥下がりの傾斜部６０Ａに入り、また支持ローラ６９が可動レール９０の前端の前上がりの傾斜部９０Ａに入ることで、それらの傾斜を利用してドロワ７０には自重により押し込まれる方向の力が作用する。したがって、仮にドロワ７０を押し込む力が弱かった場合でも、ドロワ７０が正規位置まで押し込まれて出入口２２が閉鎖される。  
逆にドロワ７０を勢い良く押し込むと、押し込まれた後に跳ね返るおそれがあるが、そのときは固定レール６０と可動レール９０の傾斜部６０Ａ，９０Ａが対応するガイドローラ８９、支持ローラ６９の逆走を規制するように機能し、ドロワ７０の不必要な跳ね返りが阻止される。
【００３４】
冷却運転時は、既述したように、吸込口２７から吸い込まれた庫内空気が冷却器２６を通過することで生成された冷気が、冷蔵室２０の左側面の上部の吹出口２８と、さらに吹出ダクト３２の２箇所の吹出口２８や右端開口から吹き出されて、冷蔵室２０内すなわち全収納室２３に亘って循環流通され、これによりホテルパン１に収容された食材等の貯蔵物が冷却保存される。  
ここで、ホテルパン１は、左右と奥とフランジ３が枠体８０の載置板８２，８６にべた当たりしており、また手前のフランジ３は扉７１の裏面（膨出部７４）に当たる可能性もあるため、ホテルパン１の周縁と枠体８０との間には冷気が流通し辛い状況にあると言える。
【００３５】
しかしながらこの実施形態では、扉７１の裏面の膨出部７４が、方形の周壁７５内に５本の縦リブ７７が間隔を開けて形成された形状であって、ホテルパン１が仮に最も手前側に位置して手前のフランジ３が扉７１の裏面に当たった場合であっても、周壁７５の上辺７５Ａよりも所定寸法下がった位置において、横方向に並んだ縦リブ７７に亘って当接した状態となる。そのため、図１１に示すように、ホテルパン１の手前のフランジ３と扉７１の裏面との間には、隣り合う縦リブ７７の間の位置、並びに両端の縦リブ７７の外側の位置において隙間ｓが構成されることになり、同隙間ｓを流通空間として冷気が流通することにより、特に扉７１の裏側において冷却の促進に寄与できる。その部分は庫外に近くて比較的昇温しやすいところであるため、冷蔵室２０内を均等に冷却する上で有効である。
【００３６】
ドロワ７０を引き出す場合は、図４の下段に示す状態から、扉７１の取手７２を持って手前に引くと、図５の上段に示すように、ガイドローラ８９と支持ローラ６９とが、それぞれ固定レール６０と可動レール９０に沿って上記とは逆回転で転動しつつドロワ７０が手前に引き出される。引き出しの初めの動作で、ガイドローラ８９と支持ローラ６９とが、対応する固定レール６０と可動レール９０の傾斜部６０Ａ，９０Ａに乗り上げることになるが、傾斜は１０℃未満の比較的緩やかなものであるから、さほどの抵抗無くスムーズに引き出すことができる。ドロワ７０が適宜に引き出されたところで、ホテルパン１に対して貯蔵物を出し入れすることができる。
【００３７】
ドロワ７０の引き出し動作は、図５の下段に示すように、支持ローラ６９が固定レール６０の奥側に設けられたストッパ９１に当たることで停止され、ドロワ７０が最大に引き出された状態となる。  
本実施形態では、このようにドロワ７０が最大に引き出された場合において、支持ローラ６９とガイドローラ８９との間の距離Ｌが比較的大きく採られている。同距離が小さい場合と比較すると、ドロワ７０に対して矢線Ｐに示すような上からの荷重が作用した場合、各ローラ６９，８９に対する負荷を小さく留めることができ、ひいては耐久性の向上が図られる。
【００３８】
ホテルパン１内を洗浄する等でドロワ７０の枠体８０からホテルパン１を外す場合は、上記のようにドロワ７０を最大に引き出したのち、ホテルパン１内を空にして枠体８０から取り外す。このときホテルパン１が手前側に位置して、扉７１の裏面（膨出部７４）に前側のフランジ３が当たるか、ごく接近した状態にあったとしても、上記したように、隣り合う縦リブ７７の間において指が２本入る程度の隙間ｓが確保されているから、同隙間ｓに指を入れて前側のフランジ３を押しつつホテルパン１を奥へ滑らせ、前後の隙間が広くなったところで、同フランジ３を摘んで手前側を持ち上げ、引き続きもう一方の手を側方のフランジ３に添える等して、ホテルパン１を斜め上向きで手前に引き抜くことにより、ホテルパン１を枠体８０から外すことができる。  
ホテルパン１内に少々の貯蔵物が入っていたままでも、同様に取り外し操作を行うことができる。
【００３９】
なお、製造時の組み付け誤差等によって、ガイドローラ８９と支持ローラ６９と、対応するレール６０，９０の位置が整合しておらず、ドロワ７０のスムーズな出し入れの妨げとなる場合があり得る。本実施形態では、扉７１の裏面の取付面７８に枠体８０を取り付ける当たって、取付板８３に横長の長孔からなるボルト８８の挿通孔８３Ａを形成して、枠体８０を横方向に位置調節して取り付けることができるようにしたから、工場における出荷前はもちろんのこと、ユーザー側でも比較的簡単に対応することができる。
【００４０】
以上のように本実施形態によれば、ホテルパン１をドロワ７０の枠体８０内に収容する部分の構造において、ホテルパン１の左右並びに奥のフランジ３は、枠体８０の左右並びに奥の載置板８２，８６上に載せる一方、手前のフランジ３を扉７１の裏面（膨出部７４）に対向させるようにしており、かつ、同膨出部７４が、方形の周壁７５内に５本の縦リブ７７が間隔（指が２本入る程度）を開けて形成された形状とされ、ホテルパン１の手前のフランジ３が、周壁７５の上辺７５Ａから所定寸法（指が入る程度）下がった位置において縦リブ７７と対向した形態で支持されるようになっている。そのため、ホテルパン１が手前側に位置して、手前のフランジ３が縦リブ７７と当たるか、ごく接近していたとしても、少なくとも隣り合う縦リブ７７の間に、指が２本入る隙間ｓが構成されるから、同隙間ｓに指を入れて手前のフランジ３に引っ掛けたり、あるいはフランジ３を奥に押して前後の隙間を拡げてから摘むことによって、同フランジ３すなわちホテルパン１の手前側を持ち上げることができ、引き続き手前に引き抜くことで、ホテルパン１を枠体８０から簡単に取り外すことができる。
【００４１】
一方、ドロワ７０が収納室２３に収納された状態では、ホテルパン１の手前のフランジ３と扉７１の裏面（膨出部７４）との間に、上記した隙間ｓが確保されることによって、冷蔵室２０に回される冷気が同隙間ｓを通って流通することができるから、冷蔵室２０内における冷気循環が促進されて冷却能力を向上させることができる。  
また、上記した隙間ｓは縦リブ７７の間に形成されていて、同隙間ｓは併せて縦長の流通ガイドとして機能するから、冷気循環がより促進される。
【００４２】
ホテルパン１は、幅方向については枠体８０における左右の側枠８１の間に緊密に嵌り、また長さ方向については、手前のフランジ３とパン本体２の奥面とが、扉７１の裏面の縦リブ７７と、枠体８０における奥枠８５の前縁との間でほぼ挟まれた状態で収容されているから、ドロワ７０が開閉（引き出しまたは押し込み）される際、ホテルパン１が枠体８０内でがたつくことが極力抑えられる。  
また、ドロワ７０が勢い良く開閉された場合等、慣性力でホテルパン１の手前のフランジ３が縦リブ７７に強く当たるおそれがあるが、縦リブ７７は５本設けられていて、各縦リブ７７に負荷が分散されることで、その損壊等がし難くなっている。
【００４３】
なお、従来例で示したような、ホテルパン１を収容する収容部が、所定幅を持った帯材を水平面で方形に巡らすことにより方形の枠体として形成されているものと比較すると、本実施形態のものは、手前側の枠辺が不要となることで枠体８０自体を小型に形成でき、また掃除の場合に、帯材の裏面のように拭き難い部分を広い範囲に亘って拭く必要がないから、簡単に掃除することができる。
【００４４】
＜他の実施形態＞
本発明は上記記述及び図面によって説明した実施形態に限定されるものではなく、例えば次のような実施形態も本発明の技術的範囲に含まれる。  
（１）隙間構成部の一例である縦リブの本数やそれに伴う隙間の寸法は、上記実施形態に例示したものに限らず、任意に設定できる。縦リブの本数が少なく、したがって隙間の幅が大きくなれば手の指が入れやすくなり、逆に縦リブの本数が多くて隙間の幅が小さくなれば、ホテルパンのフランジが当たった場合により負荷の分散がなされ、また冷気の流通ガイドとしてより有効となる。  
（２）上記実施形態において、扉の裏面の膨出部に設けられた周壁の上辺を除去すれば、縦リブの間の隙間の上方が開口することになるから、手の指がより入れやすくなり、冷気の流通もよりスムーズとなる。また、周壁がなく、平面上に単に縦リブを間隔を開けて突出形成するようにしてもよい。
【００４５】
（３）さらに隙間構成部の形態としては、上記実施形態に例示した縦リブに限らず、単なる突部等、要はホテルパンの手前側のフランジを当てて、扉の裏面と手前側のフランジとの間に所定の隙間が構成できるものであれば、他の形態のものであってもよい。  
（４）上記実施形態では６個のドロワを備えた横型冷蔵庫を例示したが、ドロワの数は任意であり、さらには縦型のドロワ式冷蔵庫や、横型または縦型のドロワ式冷凍庫、同ドロワ式冷凍冷蔵庫、さらには一部のみにドロワ形式を採用したもの等、引き出し可能なドロワを備えた冷却貯蔵庫全般に本発明は広く適用することができる。  
（５）本発明は、上記実施形態に例示したホテルパンに限らず、規格化されていない上面開口のフランジ付き容器をドロワに収容する形態のものにも同様に適用することができる。
【符号の説明】
【００４６】
１…ホテルパン（フランジ付き容器）  ２…パン本体  ３…フランジ  １０…冷蔵庫本体（貯蔵庫本体）  ２２…出入口  ２３…収納室  ７０…ドロワ  ７１…蓋  ７４…膨出部  ７５…周壁  ７６…凹面  ７７…縦リブ（隙間構成部）  ８０…枠体  ８１…側枠  ８２…載置板  ８５…奥枠  ８６…載置板  ｓ…隙間
【図１】
0005809547.tif 000002
【図２】
0005809547.tif 000003
【図３】
0005809547.tif 000004
【図４】
0005809547.tif 000005
【図５】
0005809547.tif 000006
【図６】
0005809547.tif 000007
【図７】
0005809547.tif 000008
【図８】
0005809547.tif 000009
【図９】
0005809547.tif 000010
【図１０】
0005809547.tif 000011
【図１１】
0005809547.tif 000012